(57)【要約】【課題】格別な興趣を遊戯者に供与できる回転玩具を提供する。【解決手段】回転玩具１０は、本体部１１と、本体部１１に回転可能に設けられた回転部１２と、回転部１２に着脱可能な載置部１３と、回転部１２に装着された載置部１３と当接可能な当接部１５とを備え、回転部１２に装着された載置部１３が当接部１５との当接を条件として回転部１２から離脱できるように構成されている。【選択図】図１
2020120826.tif 000002
【特許請求の範囲】
【請求項１】
回転玩具であって、
本体部と、
前記本体部に回転可能に設けられた回転部と、
前記回転部に着脱可能な載置部と、
前記回転部に装着された前記載置部と当接可能な当接部とを備え、
前記回転部に装着された前記載置部が前記当接部との当接を条件として前記回転部から離脱できるように構成されている、
回転玩具。
【請求項２】
前記載置部は、物品を載置できるように構成されている、
請求項１に記載の回転玩具。
【請求項３】
前記載置部は、前記物品を収容状態で載置可能な収容部を備える、
請求項２に記載の回転玩具。
【請求項４】
前記載置部は、当該載置部自らの移動を可能とするための移動部を備える、
請求項２または３に記載の回転玩具。
【請求項５】
前記当接部は、前記回転部に装着された前記載置部に当接し得ない位置と当接し得る位置とに変位できるように構成されている、
請求項１〜４のいずれか１項に記載の回転玩具。
【請求項６】
前記当接し得る位置は、前記回転部に装着された前記載置部との当接によって当該載置部の姿勢を変化し得る位置である、
請求項５に記載の回転玩具。
【請求項７】
前記変位は、前記当接部の傾動に基づくものである、
請求項５または６に記載の回転玩具。
【請求項８】
前記当接部は、平坦部と移動阻止部とを備える、
請求項５〜７のいずれか１項に記載の回転玩具。
【請求項９】
前記載置部は、前記回転部に揺動可能に装着できるように構成されている、
請求項１〜８のいずれか１項に記載の回転玩具。
【請求項１０】
前記回転部は、被係合部を備え、
前記載置部は、前記被係合部に着脱可能に係合可能な係合部を備える、
請求項９に記載の回転玩具。
【請求項１１】
前記被係合部は、前記回転部の回転中心の周囲に等角度間隔で複数個設けられている、
請求項１０に記載の回転玩具。
【請求項１２】
前記被係合部は、直状部と脱落防止部とを備える、
請求項１０または１１に記載の回転玩具。
【請求項１３】
前記係合部は、直状部と当該直状部と連続する曲状部とを備える、
請求項１０〜１２のいずれか１項に記載の回転玩具。
【請求項１４】
前記回転部を回転操作するための操作機構をさらに備える、
請求項１〜１３のいずれか１項に記載の回転玩具。
【請求項１５】
前記操作機構は、回転可能な操作部と、前記操作部の回転を回転部に伝達する動力伝達部とを含む、
請求項１４に記載の回転玩具。
【請求項１６】
前記操作部は、物品を収容状態で載置可能な収容部を備える、
請求項１５に記載の回転玩具。
【請求項１７】
前記物品は、請求項２に記載の物品と共用である、
請求項１６に記載の回転玩具。
【請求項１８】
前記当接部を前記回転部に装着された載置部に当接し得ない位置と当接し得る位置に変位させるための第２の操作機構をさらに備える、
請求項１〜１７のいずれか１項に記載の回転玩具。
【請求項１９】
前記第２の操作機構は、移動可能な第２の操作部と、前記第２の操作部の移動に基づいて前記当接部を押圧可能な押圧部とを含む、
請求項１８に記載の回転玩具。
【請求項２０】
前記回転部から離脱された前記載置部を誘導するための誘導部をさらに備える、
請求項１〜１９のいずれか１項に記載の回転玩具。
【請求項２１】
前記回転部は、所定方向と当該所定方向と逆方向の回転を可能としており、
前記回転部が前記所定方向に回転したときに、前記回転部に装着された載置部を当該回転部から離脱できるように構成されている、
請求項１〜２０に記載の回転玩具。
【請求項２２】
前記回転部は、所定方向と当該所定方向と逆方向の回転を可能としており、
前記回転部が前記逆方向に回転したときに、前記回転部に装着された載置部の当該回転部から離脱できないように構成されている、
請求項１〜２１のいずれか１項に記載の回転玩具。
【発明の詳細な説明】
【技術分野】
【０００１】
本発明は、回転可能な回転部を備えた回転玩具に関する。
【背景技術】
【０００２】
後記特許文献１には、台座と、台座に回転可能に支持された回転子と、回転子を所定速さで回転駆動するモータ、回転伝達部およびバッテリーと、コイン状のチップを載せることが可能で回転子のフックに吊り下げられたゴンドラ状のトレイと、所定速さで回転駆動された回転子のトレイに所定位置で衝突して当該トレイを傾けてコインを落下させるための落下装置とを備えた回転遊具が開示されている。
【０００３】
前記回転遊具は、所定速さで回転駆動された回転子のトレイにチップを載せ当該チップを所定位置で落下させること主眼としたものであるため、チップの載せ替え以外の興趣を遊戯者に供与することが難しい。
【先行技術文献】
【特許文献】
【０００４】
【特許文献１】登録実用新案第３１２４０３７号公報
【発明の概要】
【発明が解決しようとする課題】
【０００５】
本発明が解決しようとする課題は、格別な興趣を遊戯者に供与できる回転玩具を提供することにある。
【課題を解決するための手段】
【０００６】
本発明に係る回転玩具は、本体部と、前記本体部に回転可能に設けられた回転部と、前記回転部に着脱可能な載置部と、前記回転部に装着された前記載置部と当接可能な当接部とを備え、前記回転部に装着された前記載置部が前記当接部との当接を条件として前記回転部から離脱できるように構成されている。
【発明の効果】
【０００７】
本発明に係る回転玩具によれば、格別な興趣を遊戯者に供与することができる。
【図面の簡単な説明】
【０００８】
【図１】図１（Ａ）は本発明を適用した回転玩具の前面図、図１（Ｂ）は同右面図、図１（Ｃ）は同後面図である。
【図２】図２（Ａ）は図１（Ａ）に示した被係合部の拡大前面図、図２（Ｂ）は図２（Ａ）のＳ１−Ｓ１線断面図、図２（Ｃ）および図２（Ｄ）は被係合部の変形例を示す図１（Ａ）対応図である。
【図３】図３（Ａ）は図１（Ａ）に示した載置部の拡大前面図、図２（Ｂ）は同拡大上面図、図２（Ｃ）は図３（Ａ）に示した係合部を被係合部に係合した状態の説明図である。
【図４】図４（Ａ）は図１（Ａ）に示した物品の拡大前面図、図４（Ａ）は同拡大右面図、図４（Ｃ）は同拡大上面図である。
【図５】図５（Ａ）は図１（Ａ）に示した操作機構の部分拡大上面図、図５（Ｂ）は図５（Ａ）のＳ２−Ｓ２断面図（操作部のみ）である。
【図６】図６（Ａ）は図１（Ａ）に示した当接部および第２の操作機構の前面図、図６（Ｂ）は第２の操作機構の機能説明図、図６（Ｃ）は図６（Ａ）のＳ３−Ｓ３断面図（第２の操作機構のみ）、図６（Ｄ）は第２の操作機構の機能説明図である。
【図７】図７（Ａ）および図７（Ｂ）は図１〜図６に示した回転玩具の遊戯方法の説明図である。
【図８】図８（Ａ）および図８（Ｂ）は図１〜図６に示した回転玩具の遊戯方法の説明図である。
【図９】図９（Ａ）〜図９（Ｃ）は図１〜図６に示した回転玩具の遊戯方法の説明図である。
【発明を実施するための形態】
【０００９】
以下の説明では、便宜上、図１（Ａ）の手前側を前、奥側を後、上側を上、下側を下、左側を左、右側を右と表記し、他の図についてもこれらに準じて向きを表記する。
【００１０】
まず、図１〜図６を用いて、本発明を適用した回転玩具１０の構成および機能について説明する。なお、ここでの説明は一例であって、本発明に係る回転玩具の構成等を制限するものではない。
【００１１】
図１に示した回転玩具１０は、本体部１１と、本体部１１に回転可能に設けられた回転部１２と、回転部１２に着脱可能な着脱部（以下「載置部」という）１３と、回転部１２を回転可能な操作機構１４と、回転部１２に装着された載置部１３と当接可能な当接部１５と、当接部１５を変位可能な第２の操作機構１６と、回転部１２から離脱した載置部１３を誘導可能な誘導部１７とを備えている。
【００１２】
本体部１１は、後壁部１１ａと底壁部１１ｂと側壁部１１ｃとを有し、卓上等の平坦面に置くことが可能である（図１（Ａ）、図１（Ｂ）および図１（Ｃ）を参照）。ちなみに、底壁部１１ｂと側壁部１１ｃとの間には、第２の操作機構１６を配置するための左右方向の間隙（符号省略）がある。
【００１３】
また、後壁部１１ａの前面上部には、回転部１２用の断面が円状の第１軸部１１ｄが設けられている（図１（Ａ）および図１（Ｃ）を参照）。
【００１４】
さらに、底壁部１１ｂの上面には、前後方向に間隔をおいて後記第１歯車１４ｂ用の断面が円状の第２軸部１１ｅと後記第２歯車１４ｃ用の断面が円状の第３軸部１１ｆとが設けられ（図５（Ａ）を参照）、後壁部１１ａの前面には、上下方向に間隔をおいて後記第３歯車１４ｄ用の断面が円状の第４軸部１１ｇと後記第４歯車１４ｅ用の断面が円状の第５軸部１１ｈとが設けられている（図１（Ａ）および図１（Ｃ）を参照）。
【００１５】
回転部１２は、前面視が円状を成し、断面が円状の中心孔（符号省略）を第１軸部１１ｄに回転可能に装着されている（図１（Ａ）および図１（Ｃ）を参照）。
【００１６】
また、回転部１２の前面の回転中心の周囲には、等角度間隔（図中は１２０度間隔）で被係合部１２ａが計３個設けられている（図１（Ａ）および図１（Ｂ）を参照）。
【００１７】
各被係合部１２ａは、図２（Ａ）および図２（Ｂ）に示したように、断面が円状の直状部１２ａ１と当該直状部１２ａ１の端に設けられた前面視が円状の脱落防止部１２ａ２とを有している。
【００１８】
さらに、回転部１２の後面の外周部分には、後記第４歯車１４ｅが噛合可能な平歯車状の歯車部１２ｂが設けられている（図１（Ｃ）を参照）。
【００１９】
なお、図２（Ａ）には前面視が円状の脱落防止部１２ａ２を描いているが、当該脱落防止部１２ａ２は、図２（Ｃ）に示したような前面視が星状のものであってもよいし、図２（Ｄ）に示したような前面視がハート状のものであってもよい。すなわち、脱落防止部１２ａ２の前面視形状は、被係合部１２ａに係合された後記係合部１３ｂ（図３（Ｃ）を参照）の抜け落ちを防止できるものであれば特段の制限はない。
【００２０】
載置部１３は、図３（Ａ）および図３（Ｂ）に示したように、後記物品Ｇ（図４を参照）を収容状態で載置可能な収容部１３ａと、回転部１２の被係合部１２ａに着脱可能に係合可能な係合部１３ｂと、載置部１３自らの移動を可能とするための移動部１３ｃとを有している。ちなみに、載置部１３はその係合部１３ｂを回転部１２の被係合部１２ａに係合した状態で、当該被係合部１２ａの中心を基点とした揺動を可能としている。
【００２１】
係合部１３ｂは、断面が円状または矩形状で真っ直ぐな直状部１３ｂ１と、当該直状部１３ｂ１と連続する断面が円状または矩形状で曲がった曲状部１３ｂ２とを有しており、載置部１３の後壁部分に当該後壁部分の中央から上側に突出するように設けてられている（図３（Ａ）および図３（Ｂ）を参照）。
【００２２】
詳しくは、回転部１２の被係合部１２ａへの着脱可能な係合と係合後の揺動を良好に行うため、係合部１３ｂの直状部１３ｂ１および曲状部１３ｂ２の前後方向寸法は、被係合部１２ａの直状部１２ａ１の前後方向寸法よりも僅かに小さい。また、回転部１２の被係合部１２ａの直状部１２ａ１の断面が円で、係合部１３ｂの曲状部１３ｂ２の内側縁の曲がり具合を曲率半径で定めることができる場合、曲状部１３ｂ２の内側縁の曲率半径は、被係合部１２ａの直状部１２ａ１の曲率半径よりも僅かに大きい。この場合、曲状部１３ｂ２の内側縁の前面視角度は、好ましくは１２０〜１８０度の範囲内で設定されている。
【００２３】
なお、図３（Ａ）には内側縁が所定の曲率半径を持つ曲状部１３ｂ２を描いているが、当該曲状部１３ｂ２は、内側縁が一律の曲率半径を持たない曲がった部分であってもよい。すなわち、係合部１３ｂ、特に曲状部１３ｂ２の前面視形状は、回転部１２の被係合部１２ａの直状部１２ａ１に着脱可能に係合できる形状であれば特段の制限はない。
【００２４】
移動部１３ｃは、好ましくは回転可能な転動部、例えば、載置部１３の下面に設けた４個の車輪から成る（図３（Ａ）を参照）。
【００２５】
なお、図３（Ａ）には移動部１３ｃとして４個の車輪を描いているが、当該移動部１３ｃは３個の車輪であってもよいし、載置部１３自らの移動を可能とするものであれば車輪代替の半球状突起等であってもよい。
【００２６】
物品Ｇは、図４（Ａ）、図４（Ｂ）および図４（Ｃ）に示したように、キャラクター等の無生物や生物を摸した外観をしている。この物品Ｇは、自立を支援する下面（符号省略）を有しており、載置部１３の収容部１３ａと後記第２の操作部１４ａの収容部１４ａ１に収容状態で載置可能である。
【００２７】
なお、図４（Ａ）、図４（Ｂ）および図４（Ｃ）には１種類の物品Ｇのみを描いているが、サイズが同等で外観が異なる複数種類の物品Ｇが用意されていてもよい。
【００２８】
操作機構１４は、図５（Ａ）、図１（Ａ）および図１（Ｂ）に示したように、回転可能な操作部１４ａと、操作部１４ａの回転を回転部１２に伝達する動力伝達部（符号省略）を含み、当該動力伝達部は、第１歯車１４ｂと第２歯車１４ｃと第３歯車１４ｄと第４歯車１４ｅと前記回転部１２の歯車部１２ｂとによって構成されている。
【００２９】
操作部１４ａは、図５（Ｂ）に示したように、物品Ｇを収容状態で載置可能な収容部１４ａ１を有している。この操作部１４ａは、断面が円状の中心孔１４ａ２を、第１歯車１４ｂの上面に設けられた軸部１４ｂ１に回転可能に装着されている。
【００３０】
第１歯車１４ｂは、断面が円状の中心孔（符号省略）を本体部１１の第２軸部１１ｅに回転可能に装着されている（図５（Ａ）および図１（Ｂ）を参照）。第２歯車１４ｃは、第１歯車１４ｂに噛合した状態で、断面が円状の中心孔（符号省略）を本体部１１の第３軸部１１ｆに回転可能に装着されている（図５（Ａ）および図１（Ｂ）を参照）。第３歯車１４ｄは、第２歯車１４ｃに噛合した状態で、断面が円状の中心孔（符号省略）を本体部１１の第４軸部１１ｇに回転可能に装着されている（図５（Ａ）、図１（Ａ）および図１（Ｂ）を参照）。第４歯車１４ｄは、第３歯車１４ｃに噛合し、かつ、回転部１２の歯車部１２ｂと噛合した状態で、断面が円状の中心孔（符号省略）を本体部１１の第５軸部１１ｈに回転可能に装着されている（図５（Ａ）、図１（Ａ）および図１（Ｂ）を参照）。
【００３１】
すなわち、操作部１４ａを指先で把持して当該操作部１４ａを図５（Ａ）において第１歯車１４ｂの回転中心の回りで反時計回り方向または時計回り方向に回転させることにより、同回転を第１歯車１４ｂ、第２歯車１４ｃ、第３歯車１４ｄ、第４歯車１４ｅおよび歯車部１２ｂを経由して回転部１２に伝達し、回転部１２を図１（Ａ）において時計回り方向または反時計回り方向に回転できるようになっている。
【００３２】
なお、操作部１４ａは、指先で把持して回転できる他、収容部１４ａ１に収容された物品Ｇ（図１（Ａ）を参照）を指先で把持して当該物品Ｇを介して回転させることも可能である。ちなみに、操作部１４ａの収容部１４ａ１に収容可能な物品Ｇは、載置部１３の収容部１３ａに収容可能な物品Ｇと共用することができる。
【００３３】
また、図５（Ａ）、図１（Ａ）および図１（Ｂ）には操作機構１４として４個の歯車１４ｂ〜１４ｅを用いたものを描いているが、歯車の個数は５個であってもよいし、３個であってもよい。すなわち、操作機構１４の歯車の個数は、操作部１４ａの回転を回転部１２に伝達できるものであれば特段の制限はない。
【００３４】
さらに、図５（Ａ）、図１（Ａ）および図１（Ｂ）には操作機構１４として操作部１４ａの回転を４個の歯車１４ｂ〜１４ｅおよび歯車部１２ｂを経由して回転部１２に伝達可能なものを描いているが、歯車の代わりに無端ベルトとプーリーとの組み合わせ等を利用して同様の伝達を行えるようにしてもよい。すなわち、動力伝達部のメカニズムは、操作部１４ａの回転を回転部１２に伝達できるものであれば特段の制限はない。
【００３５】
当接部１５は、図１（Ａ）および図１（Ｂ）に示したように、載置部１３の下面の前後方向および左右方向寸法よりも大きな前後方向および左右方向寸法を有する矩形板からなる。この当接部１５は、図６（Ａ）に示したように、平坦部１５ａと当該平坦部１５ａの上面右端に設けられた前後方向の突条から成る移動阻止部１５ｂとを有し、平坦部１２ａの左端に設けれた軸部１５ｃを本体部１１の後壁部１１ａと側壁部１１ｃに回転可能に支持されており、その傾動によって、回転部１２に装着された載置部１３に当接し得ない位置（図６（Ａ）を参照）と当接し得る位置（図６（Ｂ）を参照）とに変位できるようになっている。
【００３６】
第２の操作機構１６は、図１（Ａ）および図１（Ｂ）に示したように、本体部１１の底壁部１１ｂと側壁部１１ｃとの間の左右方向の間隙（符号省略）に配置されている。この第２の操作機構１６は、図６（Ｃ）に示したように、直方体状の筐体部１６ａと、筐体部１６ａに前後方向に移動可能に設けられ前部を筐体部１６ａの前面下部から突出した第２の操作部１６ｂと、第２の操作部１６ｂの移動に基づいて当接部１５を押圧可能な押圧部１６ｂとを含む。第２の操作部１６ｂの後端には前面視で後ろ下がりの傾斜面１６ｂ１が設けられ、押圧部１６の上端には前面視で左下がりの傾斜面１６ｃ１が設けられている。
【００３７】
すなわち、第２の操作機構１６は、図６（Ｃ）において第２の操作部１６ｂを後方に押し込んで移動させることにより、図６（Ｄ）に示したように、当該第２の操作部１６ｂの傾斜面１６ｂ１によって押圧部１６ｃを上方に押し上げて筐体部１６ａの上面から突出できるようになっている。
【００３８】
つまり、押圧部１６ｃの傾斜面１６ｃ１を筐体部１６ａの上面から突出させることによって、図６（Ｂ）に示したように、回転部１２に装着された載置部１３に当接し得ない位置に在る当接部１５を軸部１５ｃを基点として傾動させて、当該当接部１５を、回転部１２に装着された載置部１３に当接し得る位置に変位させることができる。
【００３９】
また、図６（Ｄ）に示した突出状態で、押圧部１６ｃの突出部分を押し下げることにより、当該押圧部１６ｃによって第２の操作部１６ｂを前方に押圧して復帰させることも可能である。
【００４０】
なお、図６（Ｃ）には第２の操作部１６ｂのみに傾斜面１６ｂ１を設けたものを描いているが、当該傾斜面１６ｂ１と接触する傾斜面を押圧部１６ｃの下端に設けてもよい。また、図６（Ｃ）には押圧部１６ｃの上端に傾斜面１６ｃ１を設けたものを描いているが、当該傾斜面１６ｃ１がなくても当接部１５を押圧して傾動させることは可能である。さらに、第２の操作部１６ｂは、指先で後方に移動できる他、第２の操作部１６ｂの手前に置いた物品Ｇ（図６（Ｄ）を参照）を指先で把持して当該物品Ｇを介して後方に移動させることも可能である。ちなみに、第２の操作部１６ｂを後方に移動する際に使用可能な物品Ｇは、載置部１３の収容部１３ａに収容可能な物品Ｇと共用することができる。
【００４１】
誘導部１７は、図１（Ａ）に示したように、回転部１２から離脱した載置部１３を下方に誘導可能な断面が矩形状の誘導路１７ａを有しており、その右端が当接部１５の左端と連続するように本体部１１に設けられている。図示を省略したが、誘導部１７の先端の下面は、本体部１１の下面と同じ平坦面に置けるようになっている。すなわち、誘導部１７は、本体部１１を卓上等の平坦面に置いた状態で、下方に誘導した載置部１３を同平坦面に導出できるようになっている。ちなみに、誘導部１７の上面視図形状は、曲がった形状であってもよいし、真っ直ぐな形状であってもよい。
【００４２】
次に、図７〜図９を用いて、前述の回転玩具１０の遊戯方法について作用効果を交えて説明する。なお、ここでの説明は一例であって、本発明に係る回転玩具の遊戯方法を制限するものではない。
【００４３】
遊戯に際しては、本体部１１を卓上等の平坦面に置き、図７（Ｂ）に示したように、同一種類または異種類の物品Ｇを収容した３個の載置部１３の係合部１３ｂを回転部１２の３個の被係合部１２ａにそれぞれ係合して装着する。
【００４４】
この装着方法について図３（Ｃ）を用いて補足すると、載置部１３の係合部１３ｂの開放側を被係合部１２ａの直状部１２ａ１の左上に位置させた後、載置部１３を右下に動かして係合部１３ｂの曲状部１３ｂ２を被係合部１２ａの直状部１２ａ１に引っかけて係合させることによって行う。また、図７（Ａ）および図７（Ｂ）に示したように、操作機構１４の操作部１４ａの収容部１４ａ１に収容状態で物品Ｇを載置する。
【００４５】
３個の載置部１３が装着された回転部１２を回転させる遊戯を行うときには、図７（Ａ）に示したように、操作部１４ａを指先で把持するか、あるいは、操作部１４ａに収容されている物品Ｇを指先で把持して、操作部１４ａを第１歯車１４ｂの回転中心の回りで反時計回り方向Ａまたは時計回り方向Ｂに回転させる。
【００４６】
操作部１４ａを第１歯車１４ｂの回転中心の回りで反時計回り方向Ａ（図７（Ａ）を参照）に回転させると、同回転が第１歯車１４ｂ、第２歯車１４ｃ、第３歯車１４ｄ、第４歯車１４ｅおよび歯車部１２ｂを経由して回転部１２に伝達され、回転部１２が前面視で反時計回り方向Ａに回転する（図７（Ｂ）を参照）。
【００４７】
前掲とは逆に、操作部１４ａを第１歯車１４ｂの回転中心の回りで時計回り方向Ｂ（図７（Ａ）を参照）に回転させると、同回転が第１歯車１４ｂ、第２歯車１４ｃ、第３歯車１４ｄ、第４歯車１４ｅおよび歯車部１２ｂを経由して回転部１２に伝達され、回転部１２が前面視で時計回り方向Ｂに回転する（図７（Ｂ）を参照）。
【００４８】
なお、図７（Ｂ）から分かるように、３個の載置部１３が装着された回転部１２を回転させる遊戯を行うときには、当接部１５は、回転部１２に装着された各載置部１３に当接し得ない位置にあるため、回転部１２を反時計回り方向Ａまたは時計回り方向Ｂに回転させても各載置部１３が当接部１５に干渉することはない。
【００４９】
すなわち、遊戯者は、３個の載置部１３が装着された回転部１２を図７（Ｂ）において反時計回り方向Ａまたは時計回り方向Ｂに適宜回転させることによって、各載置部１２が装着された回転部１２が回転する様子や、当該回転に伴って各載置部１３および物品Ｇが揺動する様子を楽しむことができる。
【００５０】
一方、回転部１２に装着されている各載置部１３を当該回転部１２から離脱させる遊戯を行うときには、図８（Ｂ）に示したように、回転部１２に装着された載置部１３に当接し得ない位置に在る当接部１５を回転部１２に装着された載置部１３に当接し得る位置に変位させる。
【００５１】
この変位方法は、先の当接部１５および第２の操作機構１６の構成および機能の説明に記したとおりであるため、ここでの説明を省略する。
【００５２】
そして、図８（Ａ）に示したように、操作部１４ａを指先で把持するか、あるいは、操作部１４ａに収容されている物品Ｇを指先で把持して、操作部１４ａを第１歯車１４ｂの回転中心の回りで反時計回り方向Ａに回転させる。
【００５３】
なお、図８（Ｂ）から分かるように、回転部１２に装着されている各載置部１３を当該回転部１２から離脱させる遊戯を行うときには、当接部１５は、回転部１２に装着された各載置部１３に当接し得る位置にあり、回転部１２を時計回り方向Ｂを回転させると各載置部１３が当接部１５に干渉するようになっているため、原則として、回転部１２を時計回り方向Ｂに連続して回転することはできないし、回転部１２から載置部１３を離脱することもできない。
【００５４】
回転部１２に装着された載置部１３に当接し得る位置に当接部１５を変位させた後に、当該回転部１２を反時計回り方向Ａに回転させると、図９（Ａ）および図９（Ｂ）に示したように、傾斜姿勢の当接部１５に最も近い載置部１３の移動部１３ｃが当該当接部１５の平坦部１５ａ、あるいは、平坦部１５ａおよび移動阻止部１５ｂに当接する。
【００５５】
当接後は、図９（Ｃ）に示したように、回転部１２の回転に伴って、載置部１３の姿勢が変化するとともに、載置部１３の係合部１３ｂの曲状部１３ｂ２が左下方向に移動して回転部１２の被係合部１２ａの直状部１２ａ１から外れて、載置部１３が回転部１２から離脱する。当接部１５が傾斜姿勢にあり、かつ、その右端に移動阻止部１５ｂがあるため、離脱途中の載置部１３に右方向の力が多少働いても、離脱した載置部１３が右方向に移動することはないし、当接部１５の右端から落下することもない。
【００５６】
離脱後は、図９（Ｃ）に示したように、載置部１３が当接部１５の傾斜に基づいて左下方向に移動して誘導部１７の誘導路１７ａ（図９（Ａ）を参照）に送り込まれ、離脱した載置部１３が当該誘導部１７を通じて本体部１１が置かれた卓上等の平坦面の所定位置に導出される。
【００５７】
この後も、回転部１２の回転に伴って後続の載置部１３が前記同様に回転部１２から離脱し、離脱した載置部１３が誘導部１７を通じて本体部１１が置かれた卓上等の平坦面の所定位置に導出される。
【００５８】
すなわち、遊戯者は、当接部１５を回転部１２に装着された各載置部１３に当接し得る位置に変位させてから、３個の載置部１３が装着された回転部１２を図８（Ｂ）および図９（Ａ）において反時計回り方向Ａに適宜回転させることによって、各載置部１３が回転部１２から離脱される様子や、離脱された載置部１３が誘導部１７によって誘導される様子を楽しむことができる。
【００５９】
全ての当接部１５が回転部１２から離脱した後に、再度、３個の載置部１３が装着された回転部１２を回転させる遊戯を行うときには、第２の操作機構１６の押圧部１６ｃおよび第２の操作部１６ｂを復帰させてから、前記同様の手順を行えばよい。
【００６０】
次に、前述の回転玩具１０の変形例について説明する。
【００６１】
（１）回転部１２として３個の載置部１３を装着可能なものを示したが、２個以下の載置部１３を装着可能なものを回転部１２としてもよい。また、回転部１２を拡大して被係合部１２ａの数を増加すれば、４個以上の載置部１３を回転部１３に装着することも可能である。
【００６２】
（２）回転部１２を回転させるための操作機構１４を備えたものを示したが、回転部１２を直接指先等で回転できる構成とする場合には、操作機構１４は必ずしも必要なものではない。
【００６３】
（３）当接部１５を変位させるための第２の操作機構１６を備えてものを示したが、当接部１５を直接指先等で変位できる構成とする場合には、第２の操作機構１６は必ずしも必要なものではない。
【００６４】
（４）離脱した載置部１３を誘導するための誘導路１７を備えてものを示したが、離脱後の載置部１３を当接部１５上から直接指先等で取り除く構成とする場合には、誘導路１７は必ずしも必要なものではない。
【符号の説明】
【００６５】
１０…回転玩具、１１…本体部、１２…回転部、１２ａ…被係合部、１２ａ１…直状部、１２ａ２…脱落防止部、１２ｂ…歯車部、１３…載置部、１３ａ…収容部、１３ｂ…係合部、１３ｂ１…直状部、１３ｂ２…曲状部、１３ｃ…移動部、Ｇ…物品。１４…操作機構、１４ａ…操作部、１４ａ１…収容部、１４ｂ…第１歯車、１４ｃ…第２歯車、１４ｄ…第３歯車、１４ｅ…第４歯車、１５…当接部、１５ａ…平坦部、１５ｂ…移動阻止部、１６…第２の操作機構、１６ｂ…第２の操作部、１６ｃ…押圧部、１７…誘導部。
【図１】
2020120826.tif 000003
【図２】
2020120826.tif 000004
【図３】
2020120826.tif 000005
【図４】
2020120826.tif 000006
【図５】
2020120826.tif 000007
【図６】
2020120826.tif 000008
【図７】
2020120826.tif 000009
【図８】
2020120826.tif 000010
【図９】
2020120826.tif 000011
【手続補正書】
【提出日】令和2年3月3日(2020.3.3)
【手続補正１】
【補正対象書類名】特許請求の範囲
【補正対象項目名】全文
【補正方法】変更
【補正の内容】
【特許請求の範囲】
【請求項１】
回転玩具であって、
本体部と、
前記本体部に回転可能に設けられた回転部であって、揺動不能に設けられた被係合部を含む回転部と、
前記回転部に着脱可能な載置部であって、前記被係合部に揺動且つ係合可能に設けられた係合部を含む載置部と、
前記回転部に装着された前記載置部と当接可能な当接部とを備え、
前記回転部に装着された前記載置部が前記当接部との当接を条件として前記回転部から離脱できるように構成されている、
回転玩具。
【請求項２】
前記載置部は、物品を載置できるように構成されている、
請求項１に記載の回転玩具。
【請求項３】
前記載置部は、前記物品を収容状態で載置可能な収容部を備える、
請求項２に記載の回転玩具。
【請求項４】
前記載置部は、当該載置部自らの移動を可能とするための移動部を備える、
請求項２または３に記載の回転玩具。
【請求項５】
前記当接部は、前記回転部に装着された前記載置部に当接し得ない位置と当接し得る位置とに変位できるように構成されている、
請求項１〜４のいずれか１項に記載の回転玩具。
【請求項６】
前記当接し得る位置は、前記回転部に装着された前記載置部との当接によって当該載置部の姿勢を変化し得る位置である、
請求項５に記載の回転玩具。
【請求項７】
前記変位は、前記当接部の傾動に基づくものである、
請求項５または６に記載の回転玩具。
【請求項８】
前記当接部は、平坦部と移動阻止部とを備える、
請求項５〜７のいずれか１項に記載の回転玩具。
【請求項９】
前記被係合部は、前記回転部の回転中心の周囲に等角度間隔で複数個設けられている、
請求項１〜８のいずれか１項に記載の回転玩具。
【請求項１０】
前記被係合部は、直状部と脱落防止部とを備える、
請求項１〜９のいずれか１項に記載の回転玩具。
【請求項１１】
前記係合部は、直状部と当該直状部と連続する曲状部とを備える、
請求項１〜１０のいずれか１項に記載の回転玩具。
【請求項１２】
前記回転部を回転操作するための操作機構をさらに備える、
請求項１〜１１のいずれか１項に記載の回転玩具。
【請求項１３】
前記操作機構は、回転可能な操作部と、前記操作部の回転を回転部に伝達する動力伝達部とを含む、
請求項１２に記載の回転玩具。
【請求項１４】
前記操作部は、物品を収容状態で載置可能な収容部を備える、
請求項１３に記載の回転玩具。
【請求項１５】
前記物品は、請求項２に記載の物品と共用である、
請求項１４に記載の回転玩具。
【請求項１６】
前記当接部を前記回転部に装着された載置部に当接し得ない位置と当接し得る位置に変位させるための第２の操作機構をさらに備える、
請求項１〜１５のいずれか１項に記載の回転玩具。
【請求項１７】
前記第２の操作機構は、移動可能な第２の操作部と、前記第２の操作部の移動に基づいて前記当接部を押圧可能な押圧部とを含む、
請求項１６に記載の回転玩具。
【請求項１８】
前記回転部から離脱された前記載置部を誘導するための誘導部をさらに備える、
請求項１〜１７のいずれか１項に記載の回転玩具。
【請求項１９】
前記回転部は、所定方向と当該所定方向と逆方向の回転を可能としており、
前記回転部が前記所定方向に回転したときに、前記回転部に装着された載置部を当該回転部から離脱できるように構成されている、
請求項１〜１８に記載の回転玩具。
【請求項２０】
前記回転部は、所定方向と当該所定方向と逆方向の回転を可能としており、
前記回転部が前記逆方向に回転したときに、前記回転部に装着された載置部を当該回転部から離脱できないように構成されている、
請求項１〜１９のいずれか１項に記載の回転玩具。
【手続補正２】
【補正対象書類名】明細書
【補正対象項目名】０００６
【補正方法】変更
【補正の内容】
【０００６】
本発明に係る回転玩具は、本体部と、前記本体部に回転可能に設けられた回転部であって、揺動不能に設けられた被係合部を含む回転部と、前記回転部に着脱可能な載置部であって、前記被係合部に揺動且つ係合可能に設けられた係合部を含む載置部と、前記回転部に装着された前記載置部と当接可能な当接部とを備え、前記回転部に装着された前記載置部が前記当接部との当接を条件として前記回転部から離脱できるように構成されている。